【事件の表示】
　特願２００２−１８１６９０「電子発光素子及びその製造方法」拒絶査定不服審判事件〔平成１６年　１月２９日出願公開、特開２００４−　３０９７４〕について、次のとおり審決する。
【結　論】
　本件審判の請求は、成り立たない。
【理　由】
１．手続の経緯
　本願は、平成１４年６月２１日の出願であって、平成１８年７月３１日付けで手続補正がなされた後、平成１８年８月１７日付けで拒絶査定がなされ、これに対して、平成１８年１１月２０日に拒絶査定に対する審判請求がなされるとともに、平成１８年１２月２０日付けで手続補正がなされたものである。
　
２．平成１８年１２月２０日付けの手続補正（以下、「本件補正」という。）について
［補正却下の決定の結論］
　平成１８年１２月２０日付けの手続補正を却下する。
　
［理由］
（１）補正後の本願発明
　本件補正により、補正後の特許請求の範囲の請求項１に係る発明は、
「透明な素材の基板と、
　前記基板の上面にパターニングされた複数の第１電極ラインを備え、前記第１電極ラインの少なくとも一端に第１電極端子部を有する第１電極部と、
　前記第１電極部の上部に前記第１電極部と絶縁されるようにパターニングされた複数の第２電極ラインを備え、前記第２電極ラインの少なくとも一端に第２電極端子部を有する第２電極部と、
　前記第１電極部と第２電極部との間で少なくとも前記第１電極部を覆うように形成されて前記第１電極ライン及び第２電極ラインの交差部分で発光するように形成された電子発光膜と、
　前記第１、第２電極端子部の少なくとも一部が露出されるように前記基板と接着剤により接合されて前記電子発光膜を所定の空間をおいて包んで密封するキャップと、
　前記接着剤の下部の前記接着剤が塗布される領域に沿って、前記第１、第２電極部のうち少なくとも１つとの接触部分に形成されて、前記電子発光膜への水分浸透を遮断する密閉部とを含んでなり、
　前記密閉部の高さは、前記第１、第２電極部のうち少なくとも１つの高さより高いことを特徴とする電子発光素子。」
と補正された。
（以下、この発明を「本願補正発明」という。）
　
　前記補正は、請求項１に記載した発明を特定するために必要な事項である「密閉部」について「前記密閉部の高さは、前記第１、第２電極部のうち少なくとも１つの高さより高い」との限定を付加するものであって、平成１８年改正前特許法第１７条の２第４項第２号の特許請求の範囲の減縮を目的とするものに該当する。
　そこで、本願補正発明が、特許出願の際独立して特許を受けることができるものであるかについて検討する。
　
（２）引用例
　原査定の拒絶の理由に引用された特開２０００−２１５６７号公報（以下、「引用例」という。）には、以下の事項が記載されている。
　
ア．【０００１】
「【発明の属する技術分野】本発明は、互いに交差する陽極と陰極がマトリクスを構成している有機ＥＬ表示素子に関する。」
　
イ．【０００７】
「【課題を解決するための手段】請求項１に記載された有機ＥＬ表示素子（１）は、透光性と絶縁性を有する第１基板（２）と、前記第１基板の一部に所定間隔をおいて対面する第２基板（１１）と、前記第２基板の外周部に沿って前記第１基板と前記第２基板の間に設けられ前記第１基板と前記第２基板の間の空間を外部に対して封止するシール部材（１２）と、前記第１基板の内面に所定間隔をおいて形成されるとともに前記第２基板に対面していない前記第１基板の上面に前記シール部材を貫通して延設された第１外部端子部（３ａ）を有する透光性を備えた複数の帯状の第１表示電極（ＩＴＯ電極３）と、隣接する前記第１表示電極の間の前記第１基板上に設けられた絶縁膜（４）と、前記第１表示電極の上に形成された少なくとも一層の有機薄膜（８）と、前記第１表示電極と交差する方向に沿って前記有機薄膜の上に形成されるとともに前記第２基板に対面していない前記第１基板の上面に前記シール部材を貫通して延設された第２外部端子部（９ａ）を有する複数の帯状の第２表示電極（陰極９）とを有し、前記第１及び第２外部端子部に接続素子（ＦＰＣ３０（「ＦＰＣ２０」は、誤記と認める。））が接続されるように構成された有機ＥＬ表示素子において、前記第１及び第２外部端子部（３ａ，９ａ）の一部であって、前記接続素子が接続される部分以外の部分が、絶縁膜（４）で覆われたことを特徴としている。」
　
ウ．【００１３】
「【発明の実施の形態】図１〜図３を参照し、本例の有機ＥＬ表示素子１の構造を説明する。ガラスからなり、透光性及び絶縁性を有する第１基板２の上面には、第１表示電極（陽極）としてストライプ状のＩＴＯ電極３が形成されている。ＩＴＯ電極３は透光性であり、発光はここから第１基板２を介して外部に取り出される。ＩＴＯ電極３は、複数本あり、所定の間隔で互いに平行に設けられている。ＩＴＯ電極３の一端部は第１基板２の一辺にまで延設され、本素子外の接続素子が接続される第１外部端子部３ａとなる。」
　
エ．【００１４】
「第１表示電極としてのＩＴＯ電極３とともに、第１基板２の上面には第２電極用の第２外部端子部９ａが形成されている。第２外部端子部９ａは、ＩＴＯからなる複数本の電極であり、前記ＩＴＯ電極と同一工程で形成できる。その厚さはＩＴＯ電極３と略等しい。第２外部端子部９ａは、所定の間隔で互いに平行に、ＩＴＯ電極３とは直交した向きで形成されている。第２外部端子部９ａは、後述する第２表示電極と同一の本数だけ形成されている。第２外部端子部９ａは、前記第１外部端子部３ａが形成されている第１基板２の辺２ａに隣接する辺２ｂに沿って形成されている。」
　
オ．【００１５】
「前記ストライプ状のＩＴＯ電極３と、第２外部端子部９ａの一部を覆うように、耐熱性を有するポリイミドの絶縁膜４（パッシベーション膜）が形成されている。ポリイミドは約３５０℃までの耐熱性を有する。この絶縁膜４は、ＩＴＯ電極３等の厚さよりもやや大きい１μｍ前後の膜厚である。絶縁膜４は、ストライプ状ＩＴＯ電極３のエッジをすべて覆うように形成されている。」
　
カ．【００１６】
「図２に示すように、絶縁膜４は前記第１基板２の上に形成されてＩＴＯ電極３，３の間を埋めている。また図３に示すように、さらに絶縁層４は、ＩＴＯ電極３，３の間を埋めている部分と連続して、ＩＴＯ電極３の上にも設けられている。そして、ＩＴＯ電極３の上に形成された絶縁膜４には、図２に示すように孔４ａが形成されている。この孔４ａは後に形成される有機層の発光部分に相当する位置にあり、所定間隔で規則的に配置されている。図２に示すように、さらに絶縁層４は、第２外部端子部９ａの略中央部を覆っている。即ち、図２に示すように、第２外部端子部９ａは、第１基板２の辺２ｂに近い外端部が露出しており、外部ケーブル等が接続できるようになっている。また、第２外部端子部９ａは、接続部と反対側の内端部が、絶縁層４に形成された矩形のスリット４ｂにおいて露出しており、後述する第２表示電極（陰極９）に接続できるようになっている。」
　
キ．【００２９】
「本有機ＥＬ表示素子１を使用する際の外部機器等との接続について図４及び図５を参照して説明する。ケーシング２０の外に出ている第１及び第２外部端子部３ａ，９ａは、その先端のみが露出しており、ケーシング２０のシール部材１２に近い側は絶縁膜４によって覆われている。」
　
ク．【００３１】
「本例の構造を有する有機ＥＬ表示素子１によれば、前述のようにＦＰＣ３０で外部端子部３ａ，９ａを完全に覆わなくても、ケーシング２０の外において外部端子部３ａ，９ａが露出する部分はなくなる。このため、外部端子部３ａ，９ａが露出することによってデバイスの信頼性が影響を受けることはなくなり、高温放置時の耐久性、高温動作や高温高湿動作の確実性等が向上する。」
　
ケ．【図５】から、第１基板の一部に所定間隔をおいて対面する第２基板（１１）が、第１外部端子部（３ａ）、第２外部端子部（９ａ）の少なくとも一部が露出されるように第１基板（２）と前記シール部材により接合されて前記有機薄膜（８）を所定の空間をおいて包んで密封する部材である点が、読み取れる。
　
　また、第１表示電極の上に形成された少なくとも一層の有機薄膜（８）が、第１表示電極及び第２表示電極の交差部分で発光するように形成されたものであることは、当業者にとって自明であるから、
　
　前記ア．〜ク．の記載事項、特にイ．及びオ．の記載事項からして、引用例には、
「透光性と絶縁性を有する第１基板（２）と、
　前記第１基板の一部に所定間隔をおいて対面する第２基板（１１）と、前記第２基板の外周部に沿って前記第１基板と前記第２基板の間に設けられ前記第１基板と前記第２基板の間の空間を外部に対して封止するシール部材（１２）と、
　前記第１基板の内面に所定間隔をおいて形成されるとともに前記第２基板に対面していない前記第１基板の上面に前記シール部材を貫通して延設された第１外部端子部（３ａ）を有する透光性を備えた複数の帯状の第１表示電極（ＩＴＯ電極３）と、
　隣接する前記第１表示電極の間の前記第１基板上に設けられた、例えば耐熱性ポリイミドの絶縁膜（４）と、
　前記第１表示電極と交差する方向に沿って、前記第１表示電極の上に形成された少なくとも一層の有機薄膜（８）の上に形成されるとともに前記第２基板に対面していない前記第１基板の上面に前記シール部材（１２）を貫通して延設された第２外部端子部（９ａ）を有する複数の帯状の第２表示電極（陰極９）と、
　第１表示電極及び第２表示電極の交差部分で発光するように形成された少なくとも一層の有機薄膜（８）とを有し、
　前記第１及び第２外部端子部に接続素子（ＦＰＣ３０）が接続されるように構成された有機ＥＬ表示素子（１）において、前記第１及び第２外部端子部（３ａ，９ａ）の一部であって、前記接続素子が接続される部分以外の部分が、絶縁膜（４）で覆われた有機ＥＬ表示素子（１）。」（以下、「引用発明」という。）が記載されているといえる。
　
（３）対比
　本願補正発明と引用発明とを対比する。
ａ．引用発明の対象である「有機ＥＬ表示素子（１）」は、本願補正発明の対象である「電子発光素子」に相当する。
　
ｂ．引用発明の「透光性と絶縁性を有する第１基板（２）」は、本願補正発明の「透明な素材の基板」に相当する。
　
ｃ．引用発明の「前記第１基板（２）の一部に所定間隔をおいて対面する第２基板（１１）の外周部に沿って前記第１基板と前記第２基板の間に設けられ前記第１基板と前記第２基板の間の空間を外部に対して封止するシール部材（１２）」と、本願補正発明の「接着剤」とは、「シール部材」である点で一致する。
　
ｄ．引用発明の「透光性を備えた複数の帯状の第１表示電極（ＩＴＯ電極３）」は、本願補正発明の「パターニングされた複数の第１電極ライン」に相当し、また、引用発明の「前記第１基板の内面に所定間隔をおいて形成されるとともに前記第２基板に対面していない前記第１基板の上面に前記シール部材（１２）を貫通して延設された第１外部端子部（３ａ）」は、本願補正発明の「第１電極端子部」に相当するから、引用発明の「前記第１基板の内面に所定間隔をおいて形成されるとともに前記第２基板に対面していない前記第１基板の上面に前記シール部材（１２）を貫通して延設された第１外部端子部（３ａ）を有する透光性を備えた複数の帯状の第１表示電極（ＩＴＯ電極３）」は、本願補正発明の「「前記基板の上面にパターニングされた複数の第１電極ラインを備え、前記第１電極ラインの少なくとも一端に第１電極端子部を有する第１電極部」に相当する。
　
ｅ．引用発明の「前記第１表示電極と交差する方向に沿って、前記第１表示電極の上に形成された少なくとも一層の有機薄膜（８）の上に形成されるとともに前記第２基板に対面していない前記第１基板の上面に前記シール部材（１２）を貫通して延設された第２外部端子部（９ａ）を有する複数の帯状の第２表示電極（陰極９）」は、前記第１表示電極とは有機薄膜（８）により絶縁されているから、本願補正発明の「前記第１電極部の上部に前記第１電極部と絶縁されるようにパターニングされた複数の第２電極ラインを備え、前記第２電極ラインの少なくとも一端に第２電極端子部を有する第２電極部」に相当する。
　
ｆ．引用発明の「第１表示電極及び第２表示電極の交差部分で発光するように形成された少なくとも一層の有機薄膜（８）」は、本願補正発明の「前記第１電極部と第２電極部との間で少なくとも前記第１電極部を覆うように形成されて前記第１電極ライン及び第２電極ラインの交差部分で発光するように形成された電子発光膜」に相当する。
　
ｇ．引用発明の「前記第１基板の一部に所定間隔をおいて対面する第２基板（１１）」は、本願補正発明のように「キャップ形状」ではないが、「第１外部端子部（３ａ）（第１電極端子部）、第２外部端子部（９ａ）（第２電極端子部）の少なくとも一部が露出されるように第１基板（２）と前記シール部材により接合されて前記有機薄膜（８）（電子発光膜）を所定の空間をおいて包んで密封する部材」である点で、本願補正発明の「前記第１、第２電極端子部の少なくとも一部が露出されるように前記基板と接着剤により接合されて前記電子発光膜を所定の空間をおいて包んで密封するキャップ」と機能・作用が共通し、「前記第１、第２電極端子部の少なくとも一部が露出されるように前記基板とシール部材により接合されて前記電子発光膜を所定の空間をおいて包んで密封する部材」である点で、一致する。
　
ｈ．引用発明の「隣接する前記第１表示電極の間の前記第１基板上に設けられ、且つ、第１及び第２外部端子部（３ａ，９ａ）の一部であって、接続素子（ＦＰＣ３０）が接続される部分以外の部分が覆われた、例えば耐熱性ポリイミドの絶縁膜（４）」は、その図１〜図５、特に図４，図５の記載からして、シール部材（１２）の下部のシール部材（１２）が配置される領域に沿って、第１外部端子部（３ａ）を有する複数の帯状の第１表示電極（ＩＴＯ電極３）（第１電極部）との接触部分に形成されて、密閉部を構成するものと認められるから、本願補正発明の「前記接着剤の下部の前記接着剤が塗布される領域に沿って、前記第１、第２電極部のうち少なくとも１つとの接触部分に形成されている密閉部」とは、「シール部材の下部の前記シール部材が設けられる領域に沿って、前記第１、第２電極部のうち少なくとも１つとの接触部分に形成されている密閉部」である点で、一致する。
　
ｉ．引用発明の絶縁膜（４）（密閉部）は、ＩＴＯ電極３等の厚さよりもやや大きい１μｍ前後の膜厚であるから（記載事項オ．）、絶縁膜（４）（密閉部）の高さは、本願補正発明にいう「前記第１，第２電極部のうち少なくとも１つの高さより高いこと」に相当するといえる。
　
　前記ａ．〜ｉ．に記載したことからして、両者は、
「透明な素材の基板と、
　前記基板の上面にパターニングされた複数の第１電極ラインを備え、前記第１電極ラインの少なくとも一端に第１電極端子部を有する第１電極部と、
　前記第１電極部の上部に前記第１電極部と絶縁されるようにパターニングされた複数の第２電極ラインを備え、前記第２電極ラインの少なくとも一端に第２電極端子部を有する第２電極部と、
　前記第１電極部と第２電極部との間で少なくとも前記第１電極部を覆うように形成されて前記第１電極ライン及び第２電極ラインの交差部分で発光するように形成された電子発光膜と、
　前記第１、第２電極端子部の少なくとも一部が露出されるように前記基板とシール部材により接合されて前記電子発光膜を所定の空間をおいて包んで密封する部材と、
　前記シール部材の下部の前記シール部材が設けられる領域に沿って、前記第１、第２電極部のうち少なくとも１つとの接触部分に形成されている密閉部とを含んでなり、
　前記密閉部の高さは、前記第１、第２電極部のうち少なくとも１つの高さより高いことを特徴とする電子発光素子。」である点で一致し、以下の相違点（Ａ）、（Ｂ）が存在する。
　
相違点（Ａ）
　第１、第２電極端子部の少なくとも一部が露出されるように透明素材の基板とシール部材により接合されて電子発光膜を所定の空間をおいて包んで密封する部材における「シール部材」が、本願補正発明は、接着剤であるのに対して、引用発明は、シール部材（１２）であり、「密封する部材」が、本願補正発明は、キャップであるのに対して、引用発明は、前記基板と所定間隔をおいて対面する第２基板（１１）である点、
　
相違点（Ｂ）
　密閉部が、形成される領域に関し、本願補正発明は、接着剤が塗布されるのに対し、引用発明は、シール部材（１２）が設けられており、また、密閉部が、本願補正発明は、電子発光膜への水分浸透を遮断する機能を有するものであるのに対して、引用例には、密閉部がそのような機能を有するものであるとの記載がない点。
　
（４）当審の判断
　前記相違点（Ａ）及び（Ｂ）について検討する。
相違点（Ａ）について
　先ず、引用発明のシール部材（１２）は、第１基板（２）と第２基板（１１）との間に密着状態に設けられ、それらの間の空間をシールする部材であることは、当業者にとって自明である。そのようなシール部材を接着剤により設けることは、何ら格別の構成ではない。
　
　さらに、前記密閉部材をキャップとすることは、本願明細書の【従来の技術】の項にも記載されるように本願出願前周知の技術であり、引用発明の密封部材をキャップに換えることは、当業者にとって格別の困難性はない。
　
相違点（Ｂ）について
　先ず、接着剤が塗布される点について、上記「相違点（Ａ）について」で検討したように、シール部材（１２）を接着剤とした点は何ら格別の構成ではない。そして、接着剤を塗布することも、何ら格別の構成ではないので、「シール部材（１２）が設けられており」を「接着剤が塗布される」とすることも、当業者にとって格別の困難性はない。
　
　次に、本願補正発明では、電子発光膜への水分浸透を遮断する密閉部を形成する材料として、例えばポリイミドを使用している。（【００３６】欄。）
　一方、引用発明においても、密閉部を形成する材料（絶縁膜４）として、同様にポリイミドを使用している。（記載事項オ．）
　また、引用例には、「本有機ＥＬ表示素子１を使用する際の外部機器等との接続について図４及び図５を参照して説明する。ケーシング２０の外に出ている第１及び第２外部端子部３ａ，９ａは、その先端のみが露出しており、ケーシング２０のシール部材１２に近い側は絶縁膜４によって覆われている。」と記載され（記載事項キ．）、続いて、「本例の構造を有する有機ＥＬ表示素子１によれば、前述のようにＦＰＣ３０で外部端子部３ａ，９ａを完全に覆わなくても、ケーシング２０の外において外部端子部３ａ，９ａが露出する部分はなくなる。このため、外部端子部３ａ，９ａが露出することによってデバイスの信頼性が影響を受けることはなくなり、高温放置時の耐久性、高温動作や高温高湿動作の確実性等が向上する。」と記載されている。（記載事項ク．）
　このように、密閉部を形成する材料として、引用発明は、本願補正発明と同様に、例えばポリイミドを使用しており、また、引用例には前記記載事項キ．及びク．の記載があることを勘案すると、引用発明の密閉部は、本願補正発明の密閉部と同様、電子発光膜への水分浸透を遮断する機能を有するものと認められる。
　
　したがって、引用発明から、相違点（Ｂ）を得ることも、当業者にとって格別の困難性はない。
　
　そして、本願補正発明の作用・効果も、引用発明から予測される範囲内のもので、格別のものではない。
　
　よって、本願補正発明は、引用例に記載された発明に基づいて当業者が容易に発明をすることができたものであるから、特許法第２９条第２項の規定により特許出願の際独立して特許を受けることができないものである。
　
（５）むすび
　以上のとおり、本件補正は、平成１８年改正前特許法第１７条の２第５項で準用する同法第１２６条第５項の規定に違反するものであり、特許法第１５９条第１項で準用する同法第５３条第１項の規定により却下されるべきものである。
　
３．本願発明について
　平成１８年１２月２０日付けの手続補正は前記のとおり却下されたので、本願の請求項１に係る発明は、平成１８年７月３１日付けの手続補正書によって補正された明細書及び図面の記載からみて、その請求項１に記載された事項により特定される、以下のとおりのものである。（以下、同項記載の発明を「本願発明」という。）
「透明な素材の基板と、
　前記基板の上面にパターニングされた複数の第１電極ラインを備え、前記第１電極ラインの少なくとも一端に第１電極端子部を有する第１電極部と、
　前記第１電極部の上部に前記第１電極部と絶縁されるようにパターニングされた複数の第２電極ラインを備え、前記第２電極ラインの少なくとも一端に第２電極端子部を有する第２電極部と、
　前記第１電極部と第２電極部との間で少なくとも前記第１電極部を覆うように形成されて前記第１電極ライン及び第２電極ラインの交差部分で発光するように形成された電子発光膜と、
　前記第１、第２電極端子部の少なくとも一部が露出されるように前記基板と接着剤により接合されて前記電子発光膜を所定の空間をおいて包んで密封するキャップと、
　前記接着剤の下部の前記接着剤が塗布される領域に沿って、前記第１、第２電極部のうち少なくとも１つとの接触部分に形成されて、前記電子発光膜への水分浸透を遮断する密閉部とを含んでなることを特徴とする電子発光素子。」
　
（１）引用例
　原査定の拒絶の理由に引用された引用例の記載事項は、前記「２．（２）」に記載したとおりである。
　　
（２）対比・判断
　本願発明は、前記２．項で検討した本願補正発明から、「密閉部」について「前記密閉部の高さは、前記第１、第２電極部のうち少なくとも１つの高さより高いこと」の構成を省いたものである。
　そうすると、本願発明の構成要件を全て含み、さらに他の構成要件を付加したものに相当する本願補正発明が、前記「２．（４）」に記載したとおり、引用例に記載された発明に基づいて当業者が容易に発明をすることができたものであるから、本願発明も、同様の理由により、引用例に記載された発明に基づいて当業者が容易に発明をすることができたものである。
　
（３）むすび
　以上のとおり、本願発明は、引用例に記載された発明に基づいて当業者が容易に発明をすることができたものであるから、特許法第２９条第２項の規定により特許を受けることができない。
　よって、結論のとおり審決する。